(57)【特許請求の範囲】
【請求項１】
前面に開口する断熱箱体内に貯蔵室を構成し、この貯蔵室の開口を観音開き式の扉にて開閉自在に閉塞すると共に、一方の前記扉の非枢支側には回転式の仕切部材を取り付け、当該仕切部材が取り付けられた部分以外の扉周囲にガスケットの取付溝を有する扉サッシュを取り付けて成る冷却貯蔵庫において、
前記扉の非枢支側に取り付けられ、前記ガスケットが挿入される取付溝を有するガスケット取付用サッシュと、このガスケット取付用サッシュの上下に接続されるコーナーサッシュとを備え、このコーナーサッシュには前記ガスケット取付用サッシュの取付溝と前記扉サッシュの取付溝を連結するガスケット取付用の溝を形成したことを特徴とする冷却貯蔵庫。
【発明の詳細な説明】
【０００１】
【発明の属する技術分野】
本発明は、前面に開口する断熱箱体内に構成した貯蔵室の開口を観音開き式の扉にて開閉自在に閉塞すると共に、一方の扉の非枢支側には回転式の仕切部材を取り付けて成る冷却貯蔵庫に関するものである。
【０００２】
【従来の技術】
従来よりこの種冷却貯蔵庫は、例えば特開平７−２４８１７７号公報（Ｆ２５Ｄ２３／０２）に冷蔵庫として示される如く、前面に開口する断熱箱体の開口を観音開き式の扉にて開閉自在に閉塞している。また、回転自在の仕切部材を一方の扉の非枢支側に取り付け、当該扉が閉じた状態では仕切部材の前面を断熱箱体の開口縁において前方に指向させ、両扉のガスケットの当接面を形成すると共に、一方の扉を開く動作にて他方の扉を避けるように仕切部材を回転させる構造を採っている。係る構成によれば、仕切部材は一方の扉の開放にて開口縁から撤去されるため、断熱箱体の開口全体を開放させることができるようになると共に、両扉を独立して開閉することも可能となるため、利便性が極めて向上する。
【０００３】
【発明が解決しようとする課題】
ところで、上記一方の扉の仕切部材が取り付けられた部分以外の周囲、即ち、扉の上側、下側及び枢支側の裏面には扉サッシュが取り付けられ、この扉サッシュにはガスケットの取付溝が形成されている。そして、扉の非枢支側には仕切部材のガスケット取付用サッシュが設けられており、このガスケット取付用サッシュには取付溝が形成されている。
【０００４】
係るガスケット取付用サッシュ及び扉サッシュはコーナーサッシュにて連結され、ガスケット取付用サッシュ及び扉サッシュの取付溝には、ガスケットが取り付けられるものであった。
【０００５】
【発明が解決しようとする課題】
しかしながら、従来のコーナーサッシュには、ガスケットを取り付けるための取付溝が形成されておらず、そのため、係るコーナーサッシュ部分に隙間が生じ、特に冷凍温度で使用される場合には冷気漏れによる冷却効果の低下、外気侵入による着霜が発生する問題が生じていた。
【０００６】
係る問題を解消するため、従来ではコーナーサッシュ部分の隙間にシール材等を塗布して塞ぐなどの方法が採られていたが、係る方法では作業が面倒であり、また、シール材がはげ落ちる等の問題があった。
【０００７】
本発明は、係る従来の技術的課題を解決するために成されたものであり、観音開き式の扉と回転式の仕切部材を備えた冷却貯蔵庫の、ガスケットによる密閉性の改善を図ったものである。
【０００８】
【課題を解決するための手段】
本発明の冷却貯蔵庫は、前面に開口する断熱箱体内に貯蔵室を構成し、この貯蔵室の開口を観音開き式の扉にて開閉自在に閉塞すると共に、一方の前記扉の非枢支側には回転式の仕切部材を取り付け、当該仕切板が取り付けられた部分以外の扉周囲にガスケットの取付溝を有する扉サッシュを取り付けて成るもので、扉の非枢支側に取り付けられ、ガスケットが挿入される取付溝を有するガスケット取付用サッシュと、このガスケット取付用サッシュの上下に接続されるコーナーサッシュとを備え、このコーナーサッシュにはガスケット取付用サッシュの取付溝と扉サッシュの取付溝を連結するガスケット取付用の溝を形成したことを特徴とするものである。
【０００９】
本発明によれば、前面に開口する断熱箱体内に貯蔵室を構成し、この貯蔵室の開口を観音開き式の扉にて開閉自在に閉塞すると共に、一方の扉の非枢支側には回転式の仕切部材を取り付け、当該仕切部材が取り付けられた部分以外の扉周囲にガスケットの取付溝を有する扉サッシュを取り付けて成り、扉の非枢支側に取り付けられ、ガスケットが挿入される取付溝を有するガスケット取付用サッシュと、このガスケット取付用サッシュの上下に接続されるコーナーサッシュとを備えており、このコーナーサッシュにはガスケット取付用サッシュの取付溝と扉サッシュの取付溝を連結するガスケットを形成したので、コーナーサッシュ部分においてもガスケットを確実に保持し、従来その部分に生じていた隙間を確実に閉塞することができるようになる。
【００１０】
これにより、貯蔵室内が冷凍温度とされる場合にも、コーナーサッシュ部分からの冷気漏れによる冷却効果の低下や、外気の侵入による着霜の発生を確実に解消することが可能となると共に、組立作業性も改善されるものである。
【００１１】
【発明の実施の形態】
次に、図面に基づき本発明の実施形態を詳述する。図１は本発明を適用した冷却貯蔵庫Ｒの斜視図、図２は冷却貯蔵庫Ｒの扉２の斜視図、図３は冷却貯蔵庫Ｒの扉２とガスケット取付用サッシュ３１の分解斜視図、図４は冷却貯蔵庫Ｒのガスケット取付用サッシュ３１とコーナーサッシュ３６、３６の分解斜視図、図５は図２のＡ−Ａ線断面図、図６は図２のＢ−Ｂ線断面図、図７は上下のコーナーサッシュ３６、３６の斜視図、図８は冷却貯蔵庫Ｒの扉２の平面図である。
【００１２】
実施例の冷却貯蔵庫Ｒは、ホテルやレストランの厨房などに設置される縦型業務用冷凍庫であり、前面に開口する断熱箱体１８により構成されている。この断熱箱体１８内に構成された貯蔵室２０には、調理済みの食品（料理）や食材を載置するための棚２１・・が架設されており、更に、この貯蔵室２０の前面開口２２は横方向の中仕切２３によって中央部にて上下に仕切られている。また、貯蔵室２０内上部には冷却装置２４の図示しない冷却器が取り付けられており、この冷却器によって貯蔵室２０内は所定の温度に冷却される。更に、断熱箱体１８の天面には周囲のパネル２５によって機械室２６が画成されており、この機械室２６内には前記冷却装置２４を構成する圧縮機３３や凝縮器３４など設置され、前記冷却器と共に冷却装置２４の周知の冷媒回路を構成している。
【００１３】
一方、中仕切２３によって仕切られた貯蔵室２０の上下の開口２２は二組の観音開き式の扉（断熱扉）２、２８、２、２８によって開閉自在に閉塞される。また、上下の開口２２の中央部にそれぞれ位置する貯蔵室２０の天面及び中仕切２３の下面には、案内部材２７、２７がそれぞれ取り付けられている。
【００１４】
ここで、前記扉２、２８は外面材３と、扉サッシュ４と、内面材５と、発泡断熱材６とから本体７を構成されており、向かって右側に位置する扉２の非枢支側内面には更に仕切部材１３が取り付けられている。この場合、扉サッシュ４の上辺及び下辺及び枢支側の辺には外方に開放したガスケット取付用の取付溝３８が連続して形成されており、非枢支側は係る取付溝３８は形成されず、平板状とされている。
【００１５】
そして、この非枢支側にはガスケット取付用の取付溝３１Ａを有したガスケット取付用サッシュ３１が取り付けられ、これらガスケット取付用サッシュ３１及び扉サッシュ４の取付溝３１Ａ、３８にはガスケット３０が取り付けられることになる。
【００１６】
また、係るガスケット取付用サッシュ３１の上端及び下端には、図４に示す如くコーナーサッシュ３６、３６が取り付けられる。また、ガスケット取付用サッシュ３１は、扉２の非枢支側においてその長手方向に延在すると共に、延在する方向に向かってガスケット３０を取り付けるための前述の取付溝３１Ａが形成され、係る取付溝３１Ａの外前方には、取り付けたガスケット３０を保持するための保持部３１Ｂが形成されている。そして、係る取付溝３１Ａの内方には、このガスケット取付用サッシュ３１を扉２に取り付けるための取付部３１Ｃが形成されている。
【００１７】
尚、係る取付部３１Ｃには、扉２にネジ止めをするための複数の穴３９・・が形成されている。そして、取付部３１Ｃの上端部及び下端部には、後述するコーナーサッシュ３６の係合部３６Ｂと対応するように同様のネジ止め用の穴４０、４０が形成されている。コーナーサッシュ３６の構造については、後に詳述する。
【００１８】
次に、扉２の構造について図６を参照して詳述する。ガスケット取付用サッシュ３１は、取付部３１ＣをＬ字状の取付板８と扉２の非枢支側に位置する扉サッシュ４で挟んだ状態でネジ９により固定されている。そして、この取付板８には、内面材５側に保持具２９をネジ１１により固定し、保持具２９にはその上端と下端に取り付けられているヒンジ部材３５より仕切体１２が取り付けられる。係る仕切体１２は、扉２の長手方向に延在していると共に、この延在している軸を中心として前記ヒンジ部材３５に回動自在に枢支されている。
【００１９】
仕切体１２の前面には鋼板製の前面板１５が取り付けられており、また、仕切体１２の上端と下端にはそれぞれ案内部材２７を案内するための案内溝３２Ａ（案内部材２７が係合する）が形成されたキャップ３２が嵌合されている。そして、これら取付板８、保持具２９、仕切体１２にて回転式の仕切部材１３が構成される。
【００２０】
係る構成で、扉２を開くと案内部材２７と案内溝３２Ａとの係合によって仕切体１２は案内され、前面板１５が他方の扉２８方向に向く（図８参照）ように図５、図６、図８中時計回りに回動される。これによって、仕切体１２は他方の扉２８を避けて前方に移動可能となり、両扉２、２８は独立して開閉可能となる。
【００２１】
また、扉２を閉じていくと案内部材２７内に案内溝３２Ａが侵入して前回とは逆方向に案内され、反時計回りに回動されてその前面板１５が開口２２において前方に指向する。これによって、両扉２、２８のガスケット３０の当接面が前面板１５によって形成される。
【００２２】
次に、扉２、２８と断熱箱体１８間をシールする前記ガスケット３０について説明する。ガスケット３０はマグネットガスケットであると共に、ガスケット取付用サッシュ３１及び扉サッシュ４の取付溝３１Ａ、３８に係合される部分は、鏃状の鏃部３０Ａとされ、この鏃部３０Ａを各取付溝３１Ａ、３８に挿入係合することにより取り付けられる。
【００２３】
一方、コーナーサッシュ３６は、図７に示す如く、係止部３６Ａ、係合部３６Ｂ、本体３６Ｃ、前記取付溝３６Ｄ、取付部３６Ｅにより構成されている。係る係止部３６Ａは、前記ガスケット取付用サッシュ３１の保持部３１Ｂの端部に連続してそれを被覆すると共に、角部が所定曲率で滑らかに湾曲されている。そして、係止部３６Ａの端部に形成された係合部３６Ｂは、前記ガスケット取付用サッシュ３１の保持部３１Ｂの端面からその内部に係合するように先細りの矩形状を呈している。また、係止部３１Ｂの他端部は、前記外面材３に当接できるようにその形状に合わせて成形されている。
【００２４】
そして、本体３６Ｃは、係るコーナーサッシュ３６を扉２に取り付けた際に、扉２の上辺又は下辺に位置する扉サッシュ４と略面一となるように略同一形状を呈しており、本体３６Ｃの一端が前記係止部３６Ａに図７に示す如く連続している。また、係るコーナーサッシュ３６の本体３６Ｃの上面から側面に渡って、前記ガスケット３０の鏃部３０Ａを係合挿入するための取付溝３６Ｄが形成され、ガスケット取付用サッシュ３１に取り付けた際に、ガスケット取付用サッシュ３１の取付溝３１Ａと扉サッシュ４の取付溝３８に連続するよう構成されている。
【００２５】
更に、取付部３６Ｅには前記ガスケット取付用サッシュ３１に形成された穴４０に対応する箇所に穴４１が形成されている。
【００２６】
以上の構成で、扉２にガスケット取付用サッシュ３１及びコーナーサッシュ３６を取り付ける際には、ガスケット取付用サッシュ３１の保持部３１Ｂの上端面及び下端面にコーナーサッシュ３６の係合部３６Ｂを挿入する。この状態で前記穴４１は孔４０に合致している。その後、扉２の本体にＬ字状の取付板８と扉サッシュ４によりガスケット取付用サッシュ３１の取付部３１Ｃを図６に示す如く挟んだ状態でネジ９により固定する。
【００２７】
次いで、ガスケット取付用サッシュ３１の上端及び下端に形成された穴４０とコーナーサッシュ３６Ｅに形成された穴４１にネジ３７を挿通して外面材３に固定する。
【００２８】
これにより、コーナーサッシュ３６はガスケット取付用サッシュ３１とネジ３７により外面材３に共締め固定されることになるため、コーナーサッシュ３６が扉２及びガスケット取付用サッシュ３１から脱落することが防止できる。
【００２９】
そして、前記ガスケット３０の鏃部３０Ａをガスケット取付用サッシュ３１の取付溝３１Ａ、扉サッシュ４の取付溝３８及びコーナーサッシュ３６の取付溝３６Ｄ内に挿入係合してガスケット３０を取り付ける。これにより、コーナーサッシュ３６の部分においてもガスケット３０を確実に保持し、従来その部分に生じていた隙間を確実に閉塞することができる。
【００３０】
特に、貯蔵室内が冷凍温度とされる場合に、コーナーサッシュ３６の部分からの冷気漏れによる冷却効果の低下や、外気の侵入による着霜の発生を確実に解消することができ、また、組立作業性も改善することができる。
【００３１】
【発明の効果】
以上詳述した如く本発明によれば、前面に開口する断熱箱体内に貯蔵室を構成し、この貯蔵室の開口を観音開き式の扉にて開閉自在に閉塞すると共に、一方の扉の非枢支側には回転式の仕切部材を取り付け、当該仕切部材が取り付けられた部分以外の扉周囲にガスケットの取付溝を有する扉サッシュを取り付けて成る冷却貯蔵庫において、扉の非枢支側に取り付けられ、ガスケットが挿入される取付溝を有するガスケット取付用サッシュと、このガスケット取付用サッシュの上下に接続されるコーナーサッシュとを備えており、このコーナーサッシュにはガスケット取付用サッシュの取付溝と扉サッシュの取付溝を連結するガスケット取付用の溝を形成したので、ガスケット取付用サッシュ上下のコーナーサッシュ部分においてもガスケットを確実に保持し、従来その部分に生じていた隙間を確実に閉塞することができるようになる。
【００３２】
これにより、貯蔵室内が冷凍温度とされる場合にも、コーナーサッシュ部分からの冷気漏れによる冷却効果の低下や、外気の侵入による着霜の発生を確実に解消することが可能となると共に、組立作業性も改善されるものである。
【図面の簡単な説明】
【図１】本発明を適用した冷却貯蔵庫の斜視図である。
【図２】冷却貯蔵庫の扉の斜視図である。
【図３】冷却貯蔵庫の扉とガスケット取付用サッシュの分解斜視図である。
【図４】冷却貯蔵庫のガスケット取付用サッシュとコーナーサッシュの分解斜視図である。
【図５】図２のＡ−Ａ線断面図である。
【図６】図２のＢ−Ｂ線断面図である。
【図７】上下のコーナーサッシュの斜視図である。
【図８】冷却貯蔵庫の扉の平面図である。
【符号の説明】
Ｒ  冷却貯蔵庫
２、２８  扉
３  外面材
４  扉サッシュ
５  内面材
６  発泡断熱材
７  扉本体
８  取付板
９、１１、３７  ネジ
１２  仕切体
１３  仕切部材
１８  断熱箱体
２０  貯蔵室
２２  開口
２３  中仕切
２７  案内部材
２９  保持具
３０  ガスケット
３１  ガスケット取付用サッシュ
３１Ａ  取付溝
３１Ｂ  取付部
３６  コーナーサッシュ
３６Ａ  係止部
３６Ｂ  係合部
３６Ｃ  本体
３６Ｄ  取付溝
３６Ｅ  取付部
３８  取付溝
３９、４０  穴
【図１】
0003857802.tif 000002
【図２】
0003857802.tif 000003
【図３】
0003857802.tif 000004
【図４】
0003857802.tif 000005
【図５】
0003857802.tif 000006
【図６】
0003857802.tif 000007
【図７】
0003857802.tif 000008
【図８】
0003857802.tif 000009